(57)【要約】【課題】引込具のラッチとストライカーとの位置精度を多少なりとも緩和したり維持し易くして作動特性を向上する。【解決手段】ケース１とケース内に摺動不能に係止した待機姿勢と前記係止を解除して摺動可能となる引込姿勢とに切り換えられるラッチ３並びに付勢手段Ｓを有した引込具５と、ラッチ３を待機姿勢から引込姿勢に切り換えたり引込姿勢から待機姿勢に切り換えるストライカー６とを備え、引込具５及びストライカー６の異なる一方を、固定体９及び固定体に移動可能に配置された移動体５０にそれぞれ設けて、ラッチ３が待機姿勢から引込姿勢に切り換えられると引戸を付勢力により移動可能にする移動補助装置において、ケース１は、長手方向の一端から他端の途中までを幅細となるよう切り欠かれたストライカー用の誘い部１ａ（１６）を有し、かつ、ラッチ３の一部をケース内から誘い部１ａに露出配置していることを特徴としている。【選択図】図８
2011247053.tif 000002
【特許請求の範囲】
【請求項１】
ケースと前記ケース内に摺動不能に係止した待機姿勢と前記係止を解除して摺動可能となる引込姿勢とに切り換えられるラッチ並びに付勢手段を有した引込具と、前記ラッチを待機姿勢から引込姿勢に切り換えたり引込姿勢から待機姿勢に切り換えるストライカーとを備え、前記引込具及び前記ストライカーの異なる一方を、固定体及び前記固定体に移動可能に配置された移動体にそれぞれ設けて、前記ラッチが待機姿勢から引込姿勢に切り換えられると前記移動体を付勢力により移動可能にする移動補助装置において、
前記ケースは、長手方向の一端から他端の途中までを幅細となるよう切り欠かれたストライカー用の誘い部を有し、かつ、前記ラッチの一部をケース内から前記誘い部に露出配置していることを特徴とする移動補助装置。
【請求項２】
前記ケースは、前記固定体又は前記移動体の対応取付部に配置される設置面を有し、前記誘い部を前記設置面を除いた部分に形成していることを特徴とする請求項１に記載の移動補助装置。
【請求項３】
前記ケースは、一端側が幅細に設けられているとともに、前記誘い部に向けて傾斜した案内部を有していることを特徴とする請求項１又は２に記載の移動補助装置。
【発明の詳細な説明】
【技術分野】
【０００１】
本発明は、移動体を操作途中から付勢力により閉位置又は開位置、或いは収納位置又は引出位置まで切り換える移動補助装置に関する。なお、対象の移動補助装置は、摺動補助機構、緩衝閉鎖装置などとも称されている。
【背景技術】
【０００２】
図１４は特許文献１に開示の装置を示している。符号Ｆは固定体である本体枠を構成している鴨居である。鴨居Ｆには横溝が設けられている。移動体である引戸Ｄはその横溝に嵌合する戸首Ｄ1を有している。そして、この構造では、引込具（装置本体）１が引戸Ｄに設けられ、ストライカー（係合部材）２が鴨居Ｆの横溝に取り付けられる。ストライカー２は、鴨居Ｆの横溝内に取り付けられて係合突起２ａを下向きに突出している。これに対し、引込具１は、ケース３と、ケース３内に配置されて摺動不能に係止した同図（ｂ）の待機姿勢と前記係止を解除して摺動可能となる同図（ｃ）の引込姿勢とに切り換えられるラッチ（係合部材）５と、閉鎖手段Ｂとしてのコイルスプリング４０とを有している。符号１２は第１のシリンダーであり第１のピストン１１を駆動する。符号６はピストンロッドでありラッチ５を枢支している。ケース３は、上側が一端から途中までを開口した凹溝３ａと、前後に延びる第１の案内溝２５及び第２の案内溝２６とを有している。凹溝３ａは係合突起２ａをケース内に出入り可能にする。案内溝２５，２６はラッチ５の摺動をガイドする。案内溝２５は、ケース一端側が下向きに折り曲げられてラッチ５を摺動不能に係止する折曲部２５ａを有している。そして、ケース３は、引戸Ｄの上端面に設けた凹状部に下側を埋設した取付状態で戸首Ｄ1と連続する戸首の一部を形成している。
【０００３】
以上の装置において、同（ｂ）のラッチ５の待機姿勢では、ラッチ５に設けられた係合軸２１が折曲部２５ａに係止され、ラッチ５がコイルスプリング４０に蓄積された付勢力に抗し位置規制されている。そして、同（ｂ）の状態から、引戸Ｄが更に左方向へ移動されると、係合突起２ａがラッチ５の対応内面に当たり、ラッチ５がその応力で回転されて待機姿勢から同（ｃ）の引込姿勢に切り換えられる。引込姿勢では、ラッチ５が係合突起２ａを拘束した状態で、係合軸２１が折曲部２５ａから係止解除されて案内溝２５の水平溝部に入る。このため、ラッチ５は、コイルスプリング４０に蓄積された付勢力により摺動され引戸Ｄを閉位置に自動で切り換える。また、閉位置から引戸Ｄの開操作にて、ラッチ５が図面の右側へ摺動されると、それに伴って同（ｂ）のごとく付勢力を蓄積する。更に引戸が開方向へ動かされると、再び待機姿勢に切り換えられる。
【０００４】
図１５は特許文献１の移動補助装置（摺動補助機構）を示している。この構造では、固定体である本体枠が移動体である引戸を移動可能に配置しており、引戸が上端面にストライカー（突起体）９を突設している。引込具（引込ユニット）は、本体枠に取り付けられるケース１、ケース１に摺動自在に配されたスライダー２Ａ，２Ｂ、各スライダーに対しシャフト８を介して回転可能に枢支されたラッチ５，５、付勢手段３からなる。ここで、スライダー２Ａ，２Ｂは、上下面に凸部２２を有し、各凸部２２がケース１の上下面に設けられたガイド溝１２ｂ，１６ｂに嵌合し、それら上下のガイド手段により案内されながら摺動される。各ラッチ５は、上下面に突起５２を有し、各突起５２がケース１の上下面に設けられたガイド溝１４，１９に嵌合し、それら上下のガイド手段により案内されながら摺動される。ガイド溝１４，１９は、ガイド溝１２ｂ，１６ｂと平行な直線溝１４ａ，１９ａと、直線溝１４ａ，１９ａの両側に設けられた略Ｌ形の係止溝１４ｂ，１９ｂとからなる。
【０００５】
以上の構造において、図１５（ａ）の両側のラッチ５及び（ｂ）の右側ラッチ５は待機姿勢である。この待機姿勢では、上下の突起５２が対応する係止溝１４ｂ，１９ｂに係止されて、ラッチ５がスライダー２Ａと共に付勢手段３に蓄積された付勢力に抗し位置規制されている。そして、同（ａ）の状態から、不図示の左側の開位置にある引戸を開から閉方向へ移動操作すると、ストライカー９が対応するラッチ５のフック部５０内面に当たり、ラッチ５がその応力で回転されて待機姿勢から（ｂ）の左側のごとく引込姿勢に切り換えられる。引込姿勢では、ラッチ５がストライカー９をフック部内に拘束した状態で、上下の突起５２が係止溝１４ｂ，１９ｂから直線溝１４ａ，１９ａに入って係止解除される。このため、ラッチ５及びスライダー２Ａは、付勢手段３に蓄積された付勢力により摺動され、引戸をストライカー９を介して閉位置に自動で切り換える。また、閉位置から該引戸の開操作によって、ストライカー９がラッチ５と共に図面の左側へ摺動されると、それに伴って付勢手段３に付勢力を蓄積する。更に引戸が開方向へ動かされると、再び待機姿勢に切り換えられる。
【先行技術文献】
【特許文献】
【０００６】
【特許文献１】特開２００９−２７５５０２号公報
【特許文献２】特開２００８−１４４５６７号公報
【発明の概要】
【発明が解決しようとする課題】
【０００７】
特許文献１では、単純なストライカーの方を本体枠の横溝内に配置し、複雑で設置スペースも大きく必要となる引込具の方を引戸に配置している。ところが、この構造では、例えば、引込具の取付操作として引戸の端面に突出している戸首の一部を切除したり、切除後に設置用の凹状部を形成しなくてはならず引込具を簡単に設置できない。加えて、引込具は、幅寸法が約２０ｍｍ程度と制約される関係でストライカーと係脱するラッチの位置精度が要求されるとともに、ケース上面の一部を開口している関係でケース内に塵や埃などが貯まり易く誤作動要因となる。
【０００８】
特許文献２では、図１５（ａ）の構造に代え、左右片側つまり対のラッチ及びスライダー並びに付勢手段で構成したり、更に単一のラッチ及びスライダー並びに付勢手段にて構成可能なため、本体枠の横溝に沿って開閉される引戸にも適用可能である。その構造では、引込具を本体枠に配置し、ストライカーを引戸に配置する。引込具のケースは、ストライカーをケース内に出入りさせる横溝状の開口をケース下面に形成している。ところが、この場合には、引戸と本体枠の横溝との間に設定される遊びに加え、継続使用などで生じる引戸の変形などにより、ストライカーがケース内に出入りする際にケース側開口縁と緩衝し易く誤作動要因となり、しかも緩衝したとき簡単に修正できない。
【０００９】
本発明の目的は、上記したような課題を解消して、移動体の移動補助装置として引込具のラッチとストライカーとの位置精度を多少なりとも緩和したり維持し易くし、それにより汎用性及び作動特性を向上することにある。
【課題を解決するための手段】
【００１０】
上記目的を達成するため本発明は、ケースと前記ケース内に摺動不能に係止した待機姿勢と前記係止を解除して摺動可能となる引込姿勢とに切り換えられるラッチ並びに付勢手段を有した引込具と、前記ラッチを待機姿勢から引込姿勢に切り換えたり引込姿勢から待機姿勢に切り換えるストライカーとを備え、前記引込具及び前記ストライカーの異なる一方を、固定体及び前記固定体に移動可能に配置された移動体にそれぞれ設けて、前記ラッチが待機姿勢から引込姿勢に切り換えられると前記移動体を付勢力により移動可能にする移動補助装置において、前記ケースは、長手方向の一端から他端の途中までを幅細となるよう切り欠かれたストライカー用の誘い部を有し、かつ、前記ラッチの一部をケース内から前記誘い部に露出配置していることを特徴としている。
【００１１】
以上の本発明において、移動体には障子及び襖などの引戸も含まれる。固定体は、移動体（引戸や引出など）を移動自在に支持する矩形の本体枠などである。例えば、移動体が引戸であれば、固定体が下側の横木ないしは敷居、上側の横木ないしは鴨居と、両側の縦木により引戸に対応した大きさの開口部を区画している。移動体が引出であれば、固定体が移動体に対応した収納空間を区画しているキャビネット等の筐体である。この場合は、本発明装置が筐体や引出に付設されるガイドレール（通常は固定レール及びその固定レールに沿って移動される可動レール）のうち、固定レールに取り付けられる構成と、引出やガイドレールの中間レールや可動レールに取り付けられる構成が考えられる。また、ストライカーは引込具のラッチを引込姿勢と待機姿勢とに切り換える。待機姿勢では、ラッチが付勢手段に蓄積された付勢力に抗し摺動不能に係止されている。引込姿勢では、例えば、ラッチが係合突起を拘束した状態で係止解除され、蓄積された付勢力により移動体を開途中から閉位置又は閉途中から開位置まで移動する。
【００１２】
以上の本発明は、請求項２と３のごとく具体化されることがより好ましい。すなわち、
（ア）前記ケースは、前記固定体又は前記移動体の対応取付部に配置される設置面を有し、前記誘い部を前記設置面を除いた部分に形成している構成である（請求項２）。
（イ）前記ケースは、一端側が幅細に設けられているとともに、前記誘い部に向けて傾斜した案内部を有している構成である（請求項３）。
【発明の効果】
【００１３】
請求項１の発明では、引込具のケースが長手方向の一端から他端の途中までを幅細となるよう切り欠かれた誘い部を有し、ラッチの一部をケース内からその誘い部に露出して、ストライカーをケース誘い部に沿って移動してケースの外でラッチに係脱するようにしたため、従来構造（ストライカーがケース内でラッチと係脱する構造）に比べて、ストライカーとケース側ラッチとの相対的な精度を緩和したり、移動体の変形などに起因したストライカーの緩衝の虞を解消して作動特性を向上できる。勿論、本発明では、特許文献１のごとくケースの上端面に開口を形成しないためケース内に塵や埃などが貯まり難く、特許文献２のごとくケースにストライカー出入り用開口や溝が不要となるため引込具を小型軽薄化してもケースの剛性及び簡易化を維持できる点でも優れている。
【００１４】
請求項２の発明では、引込具のケースが固定体又は移動体の対応取付部に配置される設置面を除いた部分にストライカー用の誘い部を形成しているため、各形態から推察されるごとく引込具の安定した取付性などを損なうことなく実施できるようにする。
【００１５】
請求項３の発明では、ケースとしては一端側が幅細に設けられているとともに、誘い部に向けて傾斜した案内部を有しているため、ストライカーをその案内部のガイド作用によって誘い部に良好に移行でき、作動特性をより向上できる。
【図面の簡単な説明】
【００１６】
【図１】第１形態の本体枠と引込具の関係を示し、（ａ），（ｂ）,（ｃ）は本体枠を示す上側の側面図、下方より見た下面図、その端面図、（ｄ）は引込具の単品図である。
【図２】第１形態の引戸とストライカーの関係を示し、（ａ），（ｂ）,（ｃ）は引戸を示す上面図、上側の側面図、その端面図、（ｄ）は引戸要部を示す概略斜視図である。
【図３】上記引込具の構成を示す分解図である。
【図４】上記引込具のラッチを示し、（ａ）は上面図、（ｂ）は（ａ）のＡ矢印方向から見た図、（ｃ）は（ａ）のＢ矢印方向から見た図である。
【図５】上記引込具のスライダーを示し、（ａ）は上面図、（ｂ）は（ａ）のＣ矢印方向から見た図、（ｃ）は（ａ）のＤ矢印方向から見た図である。
【図６】上記ストライカー単品を示す斜視図である。
【図７】（ａ）は上記ストライカーと受け部材との間に配置される遮光部材を示す斜視図、（ｂ）は遮光部材を縦方向に断面した拡大断面図である。
【図８】上記装置の適用例をラッチの待機姿勢で示し、（ａ）は引戸上部分の模式状態図、（ｂ）は引戸を上から見た模式状態図、（ｃ）は（ｂ）の引込具の拡大図である。
【図９】上記装置の適用例をラッチの引込姿勢で示し、（ａ）は引戸上部分の模式状態図、（ｂ）は引戸を上から見た模式状態図、（ｃ）は（ｂ）の引込具の拡大図である。
【図１０】第２形態の装置を示し、（ａ）は本体枠の横溝とストライカーの関係図、（ｂ）は引戸と引込具等の関係図、（ｃ）は引戸を横溝に嵌合した状態を示す図である。
【図１１】上記引戸の要部の詳細を示し、（ａ）は上面図、（ｂ）は側面図、（ｃ）は端面図である。
【図１２】上記引込具のケースと受け部材との間に配される遮光部材の斜視図である。
【図１３】第２形態の装置の適用例及び作動を示し、（ａ）はラッチの待機姿勢での状態図、（ｂ）はラッチの引込姿勢での状態図である。
【図１４】特許文献１の装置を示し、（ａ）は本体枠側ストライカー及び引戸側引込具を示す配置図、（ｂ）はラッチの待機姿勢での状態図、（ｃ）はラッチの引込姿勢での状態図である。
【図１５】特許文献２の装置を示し、（ａ）は引込具の構成図、（ｂ）はその要部作動図である。
【発明を実施するための形態】
【００１７】
本発明形態を図面を参照しながら説明する。図１〜図９は第１形態を示し、図１０〜図１３は第２形態を示している。以下の説明では、第１形態の主要部、その引込具、引戸及びストライカー、受け部材、遮光部材、作動、第２形態の変更点、作動の順に詳述する。なお、図面では作図上の制約から一部を簡略化したり省略している。
【００１８】
（第１形態の主要部）第１形態の移動補助装置は、引込具５及びストライカー６から構成され、移動体である引戸を固定体としての本体枠の開位置と閉位置との間で移動する構成（移動体である引出を固定体としての本体枠の引出位置と収納位置との間で移動する構成でもよい）のうち、特に本体枠９の横溝９ａに嵌合する戸首付きの引戸５０を対象としている。そして、本体枠９には、図１に示されるごとく鴨居（横木）９０に設けられている横溝９ａ内に引込具５が取り付けられている。なお、横溝９ａには図１に示されるごとく断面コ形の枠部材９２が装着されている。この枠部材９２は第２形態のごとく省略可能である。引戸５０には、図２に示されるごとく平坦面に形成された上端面５１にあって、引戸の前後端ないしは左右端５０ａ，５０ｂの間にストライカー６、遮光部材７、受け部材８を略直線上に並設しており、ストライカー６の形状及び受け部材８によって所定長さの戸首を形成している。
【００１９】
なお、ストライカー６及び受け部材８で形成される戸首は、本体枠の横溝９ａの溝内に嵌合する寸法であり、通常は溝幅が１５〜２０ｍｍ程度に設定されている。本体枠９は、例えば、上側の鴨居５０及び下側の敷居（横木）と、両側の縦木５１により矩形の開口部を区画している。鴨居５０には、戸首に対応する一対の横溝９ａが平行に形成されている。第１形態では、引戸５０が鴨居側の横溝９ａに対応し、引戸の上端面５１にストライカー６の戸首形成部６３，６４及び受け部材８により所定長さの戸首を形成した例である。
【００２０】
（引込具）引込具５は、上記横溝９ａに配設されるケース１と、ケース１に摺動自在に配されたスライダー２と、スライダー２に枢支されてケース対応部に係止（摺動不能に係止）する待機姿勢と係止解除して摺動可能となる引込姿勢とに切り換えられるラッチ３と、付勢手段Ｓと、制動手段４とを有し、ラッチ３が待機姿勢から引込姿勢に切り換えられると、付勢手段Ｓに蓄積されていた付勢力により引戸９を例えば開から閉位置へ引き込むようにする。
【００２１】
ここで、ケース１は、図２及び図３に示されるごとく横溝９ａに対応して細長く形成されており、長手方向の一端から他端の途中まで幅細となるよう切り欠いた誘い部１ａと、一端側より誘い部１ａに向けて傾斜した案内部１ｂとを形成しているとともに、設置面となる下面１０及び両側面１２並びに上側開口を閉じているカバー１５により内部を区画形成している。
【００２２】
ケース１内には、長手方向に沿う２列構成の付勢手段用配置部１１ａ及び制動手段用配置部１１ｂと、長手方向の両端側に貫通形成された取付穴１３ａ，１３ｂと、取付穴１３ｂの手前に立設された縦壁１２ｂと、縦壁１２ｂのうち配置部１１ａ側に設けられて付勢手段Ｓであるコイルばねの一端Ｓ1を係止する係止部１２ｃ、及び配置部１１ｂ側に設けられて制動手段４であるシリンダー４０の端部を係止する規制部１２ｄと、ガイド部１４とが設けられている。ガイド部１４は、両配置部１１ａと１１ｂとの間にあって、略中間位置より取付穴１３ａの手前に向かって延びている直線溝１４ａと、直線溝１４ａから取付穴１３ａ側の手前で略Ｌ形に屈曲されている係止溝１４ｂとからなる。
【００２３】
カバー１５には、ケース１に対応した不図示の付勢手段用配置部及び制動手段用配置部と、片側を長手方向に切り欠いてストライカー６の係合突起６１をカバーの幅中央側に導く誘い部１６と、取付穴１３ａに重ねられる穴１７ａ付きの取付部１７と、付勢手段Ｓであるコイルばねの遊びを抑える不図示のガイド片と、取付部１７と反対側の端部側に設けられて制動手段Ｓであるシリンダー５０の端部を上から押さえる不図示の規制部と、ガイド部１４に対応した不図示のガイド部とが設けられている。不図示のガイド部は、直線溝１４ａに対応する直線溝と、係止部１４ｂに対応する略Ｌ形の係止溝とからなる。 図３中、符号１８は前記ガイド片を形成するために設けられた凹部である。
【００２４】
ケースの両側面１２及びカバーの両側面１９には、カバー１５をケース１に重ねたときに互いに係合する係止部１２ａと係合部１９ａとが複数対に設けられている。そして、この例では、カバー１５がそれらの係合を介してケース１に装着され、その状態でカバー側誘い部１６（引込具５の誘い部１ａ）に後述するラッチ３を露出配置する。以上のケース１及びカバー１５は外形状としては、誘い部１６を形成している箇所を除いて、高さ及び幅寸法が従来の引戸に設けられる戸首と同じ、つまり従来の戸首を兼ねるよう設計されている。換言すると、ケース外形状は、誘い部１ａ及び案内部１ｂを除く両側面１２，１９及びカバー１５の外面が従来の戸首に代わる戸首形成部を区画形成し、後述する第２形態のような使い方を可能にしている。
【００２５】
スライダー２は、図３及び図５に示されるごとくケース１とカバー１５との間の空間に配置される樹脂製の小ブロック状をなし、上下面２０，２１に設けられた凸部２３，２４及び貫通孔２６ａ，２６ｂと、背面２２に設けられて貫通孔２６ａ，２６ｂに通じている差込穴２５と、上面２０側から下設されている連結用軸部２７とを有している。なお、図３において、上面２０はカバー１５側に配置されて凸部２３が上記したカバー側のガイド部と嵌合し、下面２１はケース１側に配置されて凸部２４がガイド部１４に嵌合する。貫通孔２６ｂには図３の止め輪５２が配置される。
【００２６】
制動手段４はピストン式ダンパー式が使用されている。このピストン式ダンパーは公知のもの（例えば、特開２００６−２９５６４号等）であればよく、シリンダー４０及び該シリンダー４０に緩やかに出没されるピストンロッド４１を有し、例えば、ピストンロッド４１が固定側シリンダー４０に対し緩やかに駆動する構成であればよい。シリンダー４０は図３のごとく後端外周に首状係止溝４２を有し、ピストンロッド４１は先端外周に首状係止溝４３を有している。
【００２７】
ラッチ３は、図３及び図４に示されるごとくスライダー２とほぼ同じ厚さからなる樹脂成形体で、上下面３０，３１に設けられた凸部３３，３４と、背面３２付近に設けられて上下方向に貫通している枢支孔３７と、背面３２と反対側つまり前側に設けられた爪部３５と、爪部３５の内側を欠肉した拘束部３６と、背面３２側から一側部に突設されているばね用係止部３８とを有している。なお、図３において、上面３０はカバー１５側に配置されて凸部３３が上記したカバー側のガイド部と嵌合し、下面３１はケース１側に配置されて凸部３４がガイド部１４と嵌合する。枢支孔３７には軸部２７が嵌合される。係止部３８は掛止め孔３９を有し、そこに付勢手段Ｓの他端Ｓ2を係止する。
【００２８】
付勢手段Ｓはコイルバネが用いられている。このバネの全寸は、図９のごとく付勢力を解放した状態で、シリンダー４０の長さとほぼ等しくなっており、図８のごとくピストンロッド４１を介して長く延ばされることで付勢力を蓄積できるようにしている。両端には取付用の係止部Ｓ1，Ｓ2が設けられている。
【００２９】
以上の各部材は、例えば、スライダー２及びラッチ３を軸部２７及び枢支孔３７の係合を介して連結した状態で、制動手段４であるピストン式ダンパー及び付勢手段Ｓであるコイルバネとともにケース１に組み入れ、かつ、ケース１にカバー１５を取り付けることで引込具５として完成される。この場合、ピストンロッド４１は、図８及び図９の拡大図のごとくスライダー２に対しロッド先端を差込穴２５に挿入し、止め輪５２を貫通孔２６ｂ内でロッド先端外周の係止溝４３に係合することで連結される。制動手段５とスライダ２及びラッチ３は、ケース１の配置部１１ｂに沿って配置される。そして、シリンダー４０は、上記した規制部１２ｄ（と不図示のカバー側規制部）に係止溝４２を係合することでケース１に位置固定される。
【００３０】
スライダー２及びラッチ３は、下側の凸部２４及び凸部３４がケース側ガイド部１４に嵌合し（かつ、上側の凸部２３及び凸部３３が不図示のカバー側ガイド部に嵌合）した状態でケース１に摺動自在に配置される。付勢手段Ｓであるコイルバネは、一端側の係止部Ｓ1がケース側係止部１２ｃに掛け止めされ、他端側の係止部Ｓ2がラッチ側係止部３８の掛止め孔３９に係止される。そして、ラッチ３は、凸部３３，３４がスライダー２の摺動に伴って直線溝１４ａに沿って摺動される引込姿勢と、直線溝１４ａから係止溝１４ｂに入って摺動不能に係止される待機姿勢とに切り換えられる。なお、この例では、付勢手段Ｓであるコイルバネの他端係止部Ｓ2をラッチ３に係止したが、これに代えて他端係止部Ｓ2をスライダー２側に係止してもよい。
【００３１】
以上の引込具５は、図１のごとく横溝９ａに対し、設置面である下面１０が横溝内底面に着座するよう配置された状態で、穴１７ａ及び取付穴１３ａに挿入されるねじＭと、取付孔１３ｂに挿入されるねじＭにより固定操作される。また、この取付構造では、ケースの両側面１２及びカバーの両側面１９のうち、誘い部１ａ（１６）を形成している一方側面が横溝９ａの一方内側面に隙間なく当接し、他方側面が横溝９ａの他方内側面との間に若干の隙間を保つよう設定させている。この隙間は、後述するストライカー側の首部形成部を構成している立壁６３を逃がす寸法となっている。
【００３２】
（引戸及びストライカー）第１形態では、図２に示されるごとく引戸５０が戸首なしの状態、つまりこの例だと上端面５１が平坦面に形成されており、その上端面５１にあって、引戸の左右端５０ａ，５０ｂの間に配置されたストライカー６の一部及び受け部材８により戸首を形成するとともに、ストライカー６と受け部材８との間に配置された遮光部材７を有している。
【００３３】
ストライカー６は、樹脂の射出成形体であり、図６に示されるごとく細長く延びた取付部６０と、取付部６０の略中間位置にあって一側縁に突設された係合突起６１と、取付部６０の一側縁に沿って略Ｌ形に立設された立壁６３、及び取付部６０の他側縁にあって係合突起６１と一方端側に沿って略Ｌ形に立設された立壁６４並びに一方端に設けられた略矩形立体の受け部６６とを一体に形成している。
【００３４】
取付部６０は、横溝９ａに嵌合する戸首と同じ幅寸法であり、長孔状の取付孔６２ａと、円状の取付孔６２ｂと、受け部６６と反対側の端部に設けられた取付孔６２ｃとを有している。取付孔６２ｃには、図２のごとく隙間吸収用スペーサ６９が必要に応じ付設される。係合突起６１は引込具５のラッチ３と係脱される。立壁６３,６４及び受け部６６は引戸用首部形成部に設定されている。また、受け部６６は、両側面６６及び上下面並びに端面６７で区画されており、図２に示されるごとく遮光部材７を受け部材８との間で上端面５１に取り付けるための手段と、引戸５０の戸首形成作用とを受け持つ。
【００３５】
すなわち、受け部６６には、取付孔６８が中央部に設けられるとともに、略逆Ｔ形の嵌合溝６５が端面６７に設けられている。嵌合溝６５は、図６のごとく下側の水平溝６５ａ（図面上は不図示）及び縦溝６５ｂからなり、遮光部材７の対応端部７４を嵌合可能な溝形状となっている。すなわち、遮光部材７の対応端部７４のうち、水平部７０の端部７０ａは前記水平溝に嵌合され、遮光部７１の端部７１ａは縦溝６５ｂに嵌合される。以上のストライカー６は、引戸５０の上端面５１に対して取付孔６２ａ，６２ｂ及び取付孔６８に挿通される３本のねじＭにより取り付けられる。取付孔６２ａ，６８は長孔形状であり、ストライカー６を上端面５１に真っ直ぐに取り付けるとき幅方向に微調整可能にしている。
【００３６】
（受け部材）この受け部材８は、図２及び図７に示されるごとく遮光部材７を引戸の上端面５１に取り付けるための手段と、戸首形成作用とを受け持つ点で上記受け部６６と同じである。すなわち、受け部材８は、両側面８１及び上下面８２，８３並びに前後端面８４，８８で概略区画された樹脂成形体からなる。受け部材８には、上下面８２，８３を貫通している２つの取付孔８０と、前端面８４に刻設された略逆Ｔ形の嵌合溝８５と、後端面８８に突出されて後端面８８の下側から延びた座部８６上に位置している係止用縦壁８７とが設けられている。なお、後壁８７は、受け部材８が引分用引戸に用いられる際に使用される箇所であり、引分用以外の引戸の場合は省略してもよい。各取付孔８０は長孔形状となっており、受け部材８を図２のごとく引戸の上端面５１にあってねじＭによりストライカー６の延長線上に取り付けるとき幅方向に微調整可能となっている。嵌合溝８５は、縦溝８５ｂ及び下側の水平溝８５ａからなり、遮光部材７の対応端部を嵌合可能な溝形状となっている。すなわち、遮光部材７の対応端部のうち、水平部７０の端部７０ａは水平溝８５ａに嵌合され、遮光部７１の端部７１ａは縦溝８５ｂに嵌合される。
【００３７】
（遮光部材）この遮光部材７は、引戸５０が戸首なしの状態、つまりこの例だと上端面５１が平坦面に形成され、そこにストライカー６及び受け部材８により戸首を形成したため、室内の光が戸首の無い箇所から外へ漏れないように遮光する部材である。すなわち、遮光部材７は、樹脂やラバーなどの弾性材質からなり、縦断面が略逆Ｔ形となっていて、水平部７０と、水平部７０に起立された遮光部７１と、水平部７０の両側から下向きに設けられた脚部７２と、両脚部７２の間にあって水平部７０の下面から下斜めに突出されて脚部７２よりも下へ延びている弾性当接部７３とを一体に形成している。また、遮光部材７は、引戸の上端面５１に取り付けられた状態において、ストライカー側受け部６６及び受け部材８に比べ高さ寸法がほぼ同じであり、幅寸法がケース１の幅よりも小さく設定されている。
【００３８】
以上の遮光部材７は、引戸の上端面５１に対して、両側が上端面５１に固定されるストライカー側受け部６６と受け部材８とに係合された状態で取り付けられる。この取付状態において、遮光部材７は、弾性当接部７３が上端面５１に圧接しており、遮光部７１が引戸５０の使用状態において横溝９ａを介した光漏れを防ぐ。なお、遮光部材７の取付構造は、係合構造に代えて引戸５０の対応する端面に対し接着剤、両面接着テープ、圧入などであってもよい。
【００３９】
（作動）図８及び図９は、以上の移動補助装置つまり引込具５及びストライカー６の作動を示している。
（１）図８は引戸５０を開から閉方向へ移動操作している過程を示している。この状態では、同（ｂ）の拡大図のごとく引込具５を構成しているラッチ３が待機姿勢となっている。このラッチ３の待機姿勢においては、付勢手段Ｓであるコイルバネは引き延ばされて付勢力を蓄積している。ラッチ３は、凸部３３，３４がケース側係止溝１４ｂ及びカバー側係止溝に係止され、それによりスライダー２を付勢手段Ｓの付勢力に抗して位置規制している。
【００４０】
（２）以上の移動補助装置では、まず、引戸５０が開から閉方向へ移動されると、ストライカーの係合突起６１が横溝９ａ内に取り付けられている引込具５の案内部１ｂのガイド作用を伴って誘い部１ａ，１６に沿って移動され、かつ、立壁６３がケース１の対応側面に沿って移動されることにより、引込具５に対して高精度に位置出しされる。このため、この構造では、引戸５５が横溝９ａに対し遊びを持っていても、ストライカーの係合突起６１と引込具５のラッチ３とが設計通りに係止したり係止解除される。
【００４１】
（３）係合突起６１は、引戸５５が閉方向へ更に移動されるとラッチ３の対応部に当たる。ラッチ３は、その応力により軸部２７を支点として逆時計回りに回転され、その回転により凸部３３，３４が係止溝１４ｂから係止解除されて直線溝１４ａと嵌合して引込姿勢に切り換えられる。同時に、係合突起６１はラッチ側爪部３５の内側、つまり拘束部３６に拘束される。
【００４２】
（４）図９はラッチが引込姿勢に切り換えられた後、引戸５０が付勢手段Ｓの付勢力により閉位置に切り換えられた状態を示している。すなわち、この移動補助装置では、ラッチ３が同図（ｂ）の拡大図のごとく引込姿勢に切り換えられると、係合突起６１をラッチ側拘束部３６に拘束する。この拘束状態で、引戸５０は、スライダー２がラッチ３と共に付勢手段Ｓの付勢力により摺動されるのと連動して、閉位置まで移動される。この場合、この形態では、引戸５０が付勢手段Ｓの付勢力により移動されるとき、上記した制動手段４の制動を受けて緩やかに摺動される。
【００４３】
（５）引戸５０の閉位置では、遮光部材７の遮光部７１により例えば室内の光が上端面５１より外へ洩れるという虞を解消できる。以上の引戸５０は、閉位置から開方向へ移動操作する過程において、ラッチ３が引込姿勢になっていて拘束部３６に係合している係合突起６１を介して左側へスライダー２と共に移動され、この移動により付勢手段Ｓに付勢力を蓄積する。引戸５０が更に左側へ移動されて、ラッチ３が図８のごとく凸部３３，３４が直線溝１４ａから係止溝１４ｂに達する。すると、ラッチ３は、係合突起６１が爪部３５を押し拘束部３６から抜け出すときの反力により軸部２７を支点として時計回りへ回転しながら、凸部３３，３４が係止溝１４ｂに係合して待機姿勢に切り換えられる。付勢手段４に蓄えられた付勢力はラッチ３が待機姿勢にある限り保たれる。
【００４４】
（６）以上の構造では、従来の戸首付き引戸に比べ、引戸５０としては戸首側の端面５１を平坦面にした状態で作製し、その平坦面にストライカー６及び受け部材８を付設して戸首を形成することにより、引戸作製工数を低減でき、移動補助装置を簡単に採用できるようにする。更に、上記した戸首形成部と受け部材８との間に配置された遮光部材７を有しているため、室内の光が外へ洩れるという不具合を確実に解消できる。
【００４５】
（第２形態の変更点）図１０〜図１３は第２形態の引戸補助装置を示している。この説明では、上記第１形態と同一部材及び作用的に同じ部位に同じ符号を付し、変更した構成だけを明らかにして重複した記載を極力省く。すなわち、第２形態の引戸補助装置は、第１形態に対し引込具５及び遮蔽部材７並びに受け部材８の構成自体を同じくし、それらを引戸５０の上端面５１に配置した点と、ストライカー６Ａの構成及びそれを本体枠側の横溝９ａに配置した点とが異なっている。
【００４６】
図１０は引戸５０の平坦状になった上端面５１にあって、引戸の左右端５０ａ，５０ｂの間に上記した引込具５のケース１、遮光部材７、受け部材８を略直線上に配設した配置例を示している。この配置では、引込具５が穴１７ａ及び取付孔１３ｂに挿通される２本のねじＭにより取り付けられ、遮光部材７がケース１の対応端部側と受け部材８との間でそれぞれ嵌合ないしは係合構造、つまり遮光部材７の一端部７４とケース１の嵌合溝１３ｃとの嵌合ないしは係合（図１３（ａ）の右側の拡大図を参照）、遮光部材７の他端部７４と受け部材８の嵌合溝８５との嵌合ないしは係合を介してそれぞれ連接される。
【００４７】
以上のような構造では、第１形態と同じく戸首付き引戸５０といっても、戸首が引込具５を構成しているケース１の外形状により、或いは、ケース１の外形状及び受け部材８の外形状により形成されるため、引戸作製費を低減可能にし、引戸５０への引込具５の組み込みも引用文献１のように特別な加工を施すことなく行えるという利点に加え、遮光部材７をケース１と単一の受け部材８との間で隙間無く連接固定できるという利点も具備できる。
【００４８】
第２形態のストライカー６は、図１０に示されるごとく取付部６０と、取付部６０に突設された係合突起６１とを一体に形成した射出成形体である。取付部６０は、横溝９ａに収まる幅寸法であり、一側に直角に折り曲げられた案内板部６３と、２つの取付孔６２ａ，６２ｂを有している。以上のストライカー６は、横溝９ａに対し、取付部６０を溝内底面に位置決め配置した後、取付孔６２ａ，６２ｂに挿通される２本のねじＭにより取り付けられる。この場合も、取付孔６２ａは、円形ではなく、幅方向を大きくした長孔形状となっていて、ストライカー６を横溝９ａに真っ直ぐに取り付けるとき幅方向に微調整可能にしている。
【００４９】
ストライカー６は、取付状態において、係合突起６１が横溝内に突出されている。案内板部６３は、係合突起６１と所定間隔（引込具１のうち、誘い部１ａが設けられている箇所を形成している部分の幅寸法と同じか、若干大きな間隔）を保って対向しており、引戸５０が横溝９ａに沿って移動されるとき引込具５の対応側面１２，１９（誘い部１ａと反対側の側面）がこの壁面に沿って精度よく移動されるようにする。以上のような構造では、横溝９ａに加工を施すことなくストライカー６を簡単に取り付けることができるという利点を有している。
【００５０】
（作動）図１３は第２形態の引戸補助装置、つまり引込具５及びストライカー６Ａの引込作動を示している。
（１）図１３（ａ）は引戸５０を同図の矢印方向つまり開から閉方向へ移動操作している過程を想定している。ここでは、引込具５を構成しているラッチ３の待機姿勢をストライカー６と共に示している。ラッチ３の待機姿勢では、付勢手段Ｓであるコイルバネは引き延ばされて付勢力を蓄積している。ラッチ３は、凸部３３，３４がケース側係止溝１４ｂ及び不図示のカバー側係止溝に係止され、それによりスライダー２を付勢手段Ｓの付勢力に抗して位置規制している。
【００５１】
（２）そして、以上の引込具５は、例えば、引戸５０が開から閉位置の少し手前まで移動されると、位置固定されているストライカー６の係合突起６１が引込具５の一端側に設けられた案内部１ｂから誘い部１ａ（１６）に沿って相対的に移行されてケース１内から外へ露出されているラッチ３の対応部に当接する。すると、ラッチ３は、係合突起６１から受ける応力により軸部２７を支点として逆時計回りに回転され、その回転により凸部３３，３４が対応する係止溝１４ｂから係止解除されて対応する直線溝１４ａと嵌合して引込姿勢に切り換えられる。同時に、係合突起６１はラッチ側爪部３５の内側、つまり拘束部３６に拘束される。
【００５２】
（３）図１３（ｂ）はラッチ３が引込姿勢に切り換えられた後、引戸５０が付勢手段Ｓの付勢力により移動されて閉位置に切り換えられた状態を示している。すなわち、この引戸補助装置では、ラッチ３が同図のごとく引込姿勢に切り換えられると、係合突起６１をラッチ側拘束部３６に拘束した状態で、スライダー２がラッチ３と共に付勢手段Ｓの付勢力により摺動され、それに伴って引戸５０は閉位置まで移動される。この場合、この形態では、引戸５０が付勢手段Ｓの付勢力により移動されるとき、上記した制動手段４の制動を受けて緩やかに移動される。引戸５０の閉位置では、引込具５と受け部材８Ａとの間に隙間無く連接されている遮光部材７を有しているため、例えば室内の光が外へ洩れるという虞を解消できる。
【００５３】
（４）引戸５０は、図１３（ｂ）の矢印方向つまり閉位置から開方向へ移動操作する過程において、ラッチ３が引込姿勢になっていて拘束部３６に係合している係合突起６１を介してスライダ２と共に摺動され、この摺動により付勢手段Ｓに付勢力を蓄積する。引戸５０が更に右側へ移動されて、ラッチ３が図１３（ａ）のごとく凸部３３，３４が対応する直線溝１４ａから対応する係止溝１４ｂに達する。すると、ラッチ３は、係合突起６１が爪部３５を押し拘束部３６から抜け出すときの反力により軸部２７を支点として時計回りへ回転しながら、凸部３３，３４が対応する係止溝１４ｂに係合して待機姿勢に切り換えられる。付勢手段Ｓに蓄えられた付勢力はラッチ３が待機姿勢にある限保たれることになる。
【００５４】
（５）以上の構造でも、従来の戸首付き引戸に比べ、引戸５０としては戸首側の端面５１を平坦面にした状態で作製し、その平坦面に引込具５及び受け部材８を付設して戸首を形成することにより、引戸作製工数を低減でき、移動補助装置を簡単に採用できるようにする。更に、引込具５のケース１と受け部材８との間に配置された遮光部材７を有しているため、室内の光が外へ洩れるという不具合を確実に解消できる。
【００５５】
なお、本発明は、以上の各形態に制約されるものではなく、請求項で特定される技術要素を備えておればよく、細部については各形態を参考にして更に展開したり変更可能なものである。
【符号の説明】
【００５６】
１…ケース（１０は上面、１２は側面、１５はカバー）
２…スライダー（２３，２４は凸部、２７は軸部、２５は差込穴）
３…ラッチ（３３，３４は凸部、３５は爪部、３６は拘束部、３８は係止部）
４…制動手段（４０はシリンダー、４１はピストンロッド）
５…引込具（１ａはストライカー用誘い部、１ｂは案内部）
６，６Ａ…ストライカー（６０は取付部、６１は係合突起、６３は案内板部）
７…遮光部材（７０は水平部、７１は遮光部）
８…受け部材（８０は取付孔、８１は側面、８４は端面、８５は嵌合溝）
９…本体枠（固定体に相当し、９ａは横溝）
５０…引戸（移動体に相当し、５０ａ，５０ｂは端面、５１は上端面）
Ｓ…付勢手段（Ｓ1，Ｓ2は両側の係止部）
【図１】
2011247053.tif 000003
【図２】
2011247053.tif 000004
【図３】
2011247053.tif 000005
【図４】
2011247053.tif 000006
【図５】
2011247053.tif 000007
【図６】
2011247053.tif 000008
【図７】
2011247053.tif 000009
【図８】
2011247053.tif 000010
【図９】
2011247053.tif 000011
【図１０】
2011247053.tif 000012
【図１１】
2011247053.tif 000013
【図１２】
2011247053.tif 000014
【図１３】
2011247053.tif 000015
【図１４】
2011247053.tif 000016
【図１５】
2011247053.tif 000017